(57)【要約】【課題】電極の不良率を低下させ、かつ効率を向上させることができるプラズマディスプレイパネルを提供する。【解決手段】互いに離隔して配される第１基板１１１及び第２基板１２１と、第１基板と第２基板との間の空間を複数の放電セルに区画するように配される隔壁１３０と、隔壁と第１基板との間に配される透明電極１８０ａ，１９０ａと、を備え、透明電極は、それぞれ放電セルを横切って延びる第１延長部１８１，１９１及び第２延長部１８２，１９２と、第１延長部と第２延長部との間を連結する連結部１８３，１９３とを備え、連結部の少なくとも一部分が隔壁上に配されるプラズマディスプレイパネル。【選択図】図１
2009070820.tif 000002
【特許請求の範囲】
【請求項１】
互いに離隔して配される第１基板及び第２基板と、
前記第１基板と前記第２基板との間の空間を複数の放電セルに区画するために、前記第２基板上の前記第１基板と対向する面に設けられる隔壁と、
前記隔壁と前記第１基板との間に配される透明電極と、を備え、
前記透明電極は、それぞれ前記放電セルを横切って延びる第１延長部及び第２延長部と、前記第１延長部と前記第２延長部との間を連結する連結部とを備え、
前記連結部の少なくとも一部分が前記隔壁上に配されることを特徴とするプラズマディスプレイパネル。
【請求項２】
前記第１延長部と前記第２延長部とが、実質的に平行に延びることを特徴とする請求項１に記載のプラズマディスプレイパネル。
【請求項３】
前記隔壁は、前記第１延長部及び第２延長部が延びる方向と同じ方向に延びる横隔壁と、前記横隔壁と異なる方向に延びる縦隔壁と、を備えることを特徴とする請求項１に記載のプラズマディスプレイパネル。
【請求項４】
前記連結部は、前記縦隔壁上に配されることを特徴とする請求項３に記載のプラズマディスプレイパネル。
【請求項５】
前記第１延長部の少なくとも一部が、前記横隔壁上に配されることを特徴とする請求項３に記載のプラズマディスプレイパネル。
【請求項６】
前記縦隔壁が延びる方向に隣接する前記放電セルの間に、前記横隔壁が２つ配されることを特徴とする請求項３に記載のプラズマディスプレイパネル。
【請求項７】
前記横隔壁に沿って延び、前記第１延長部と電気的に接続される金属性のバス電極をさらに備えることを特徴とする請求項３に記載のプラズマディスプレイパネル。
【請求項８】
前記隔壁と前記第１基板との間に配される透明電極をさらに備え、一の前記透明電極は、前記第１延長部に沿うように延びる金属性のバス電極と電気的に接続されることを特徴とする請求項１に記載のプラズマディスプレイパネル。
【請求項９】
前記第１基板と前記第２基板との間に、前記透明電極及び前記バス電極を覆うように、前記第１基板上に配される第１誘電体層と、
前記アドレス電極を覆うように前記第２基板上に配される第２誘電体層と、をさらに備えることを特徴とする請求項８に記載のプラズマディスプレイパネル。
【請求項１０】
前記隔壁は、前記第１誘電体層と前記第２誘電体層との間に配されることを特徴とする請求項９に記載のプラズマディスプレイパネル。
【請求項１１】
互いに離隔して配される第１基板及び第２基板と、
前記第１基板と前記第２基板との間にあり、前記第１基板及び前記第２基板に沿うように一方向に延びるＸ電極及びＹ電極と、
前記第１基板と前記第２基板との間にあり、前記第１基板及び前記第２基板に沿うように前記Ｘ電極及び前記Ｙ電極が延びる方向と異なる方向に延びるアドレス電極と、
前記第１基板と前記第２基板との間の空間を複数の放電セルに区画するために、前記第２基板上の前記第１基板と対向する面に設けられる隔壁と、
前記Ｘ電極及び前記Ｙ電極を覆うように前記第１基板上に配される第１誘電体層と、
前記アドレス電極を覆うように前記第２基板上に配される第２誘電体層と、を備え、
前記Ｘ電極及び前記Ｙ電極が透明電極とバス電極とを備え、
前記透明電極は、それぞれ前記Ｘ電極及び前記Ｙ電極が延びる方向と同じ方向に延びる第１延長部及び第２延長部と、前記第１延長部と前記第２延長部との間を連結する連結部とを備え、前記連結部の少なくとも一部分が前記隔壁上に配されるプラズマディスプレイパネル。
【請求項１２】
前記隔壁は、前記Ｘ電極及び前記Ｙ電極が延びる方向と同じ方向に延びる横隔壁と、前記横隔壁と異なる方向に延びる縦隔壁とを備えることを特徴とする請求項１１に記載のプラズマディスプレイパネル。
【請求項１３】
前記縦隔壁が延びる方向に隣接する前記放電セルの間に、前記横隔壁が２つ配されることを特徴とする請求項１２に記載のプラズマディスプレイパネル。
【請求項１４】
前記連結部は、前記縦隔壁上に配されることを特徴とする請求項１２に記載のプラズマディスプレイパネル。
【請求項１５】
前記第１延長部の少なくとも一部は前記横隔壁上に配されることを特徴とする請求項１２に記載のプラズマディスプレイパネル。
【請求項１６】
前記第１延長部と前記第２延長部とが実質的に平行に延びることを特徴とする請求項１２に記載のプラズマディスプレイパネル。
【請求項１７】
前記バス電極は、前記第１延長部の一面に配されることを特徴とする請求項１２に記載のプラズマディスプレイパネル。
【発明の詳細な説明】
【技術分野】
【０００１】
本発明は、プラズマディスプレイパネルに係り、より詳細には、それぞれの放電セルに電極が配され、それぞれの電極に電源が供給されて放電セル内の放電空間で放電が起こされることにより画像を表示するプラズマディスプレイパネルに関する。
【背景技術】
【０００２】
近年、従来の陰極線管ディスプレイ装置を代替するものとして注目されているプラズマディスプレイパネル（Ｐｌａｓｍａ  Ｄｉｓｐｌａｙ  Ｐａｎｅｌ、以下、ＰＤＰと称する）は、複数の電極が形成された２つの基板間に放電ガスが封じ込まれたものであり、放電電圧が加えられ、これによって発生する紫外線により所定のパターンで形成された蛍光体が励起されて発光することにより所望の画像を得る装置である。
【０００３】
通常の交流型ＰＤＰは、ユーザー側に画像を表示する上板と、これと平行に結合される下板とを備える。上板の前面基板には維持電極対が配される。前面基板の維持電極対が配された面に対向する下板の背面基板には、アドレス電極が前面基板の電極と交差するように配される。
【０００４】
前記維持電極対が備えられた前面基板と、アドレス電極が備えられた背面基板との各面には、各電極を埋め込むようにそれぞれ第１誘電体層と第２誘電体層とが形成される。第２誘電体層の前面には、放電距離を維持して放電セル間の電気的または光学的クロストークを防止する隔壁が形成される。
【０００５】
前記隔壁の両側面及び隔壁が形成されていない第２誘電体層の前面には、赤色、緑色、青色発光蛍光体が塗布される。
【０００６】
維持電極対それぞれは、透明電極及びバス電極を備える。透明電極は、放電を起こしうる導電体であり、かつ蛍光体から放出される光が、前面基板に進入することを妨げない透明な材料で形成される。このような透明な材料としては、たとえばＩＴＯ（Ｉｎｄｉｕｍ  ｔｉｎ  ｏｘｉｄｅ）などがある。また、通常バス電極としては、電気伝導性が優れた金属電極が使われる。
【０００７】
一方、高精細及び高解像度を具現するためには、同サイズのパネルに対して放電セルの数を増加させるか、放電セルのサイズを小さくする必要がある。この時、それぞれの放電セル内の放電空間に存在する透明電極の形状が小さくなることによって、暗斑点などのＩＴＯ欠陥性不良が増加しうる。
【０００８】
また、それぞれの放電セルに配される透明電極の面積が大きくなれば、透明電極によって遮蔽される面積が大きくなり、放電効率が落ちる。
【発明の開示】
【発明が解決しようとする課題】
【０００９】
本発明は、電極の不良率を低下させて効率を向上させることができるＰＤＰを提供することを目的とする。
【課題を解決するための手段】
【００１０】
本発明は、互いに離隔して配される第１基板及び第２基板と、前記第１基板と前記第２基板との間の空間を複数の放電セルに区画するために、前記第２基板の前記第１基板と対向する面に設けられる隔壁と、前記隔壁と前記第１基板との間に配される透明電極と、を備え、前記透明電極は、それぞれ前記放電セルを横切って延びる第１延長部及び第２延長部と、前記第１延長部と前記第２延長部との間を連結する連結部とを備え、前記連結部の少なくとも一部分が前記隔壁上に配されるＰＤＰを提供する。
【００１１】
前記第１延長部と前記第２延長部とは実質的に平行に延びる。
【００１２】
前記隔壁は、前記第１延長部及び第２延長部が延びる方向と同じ方向に延びる横隔壁、及び前記横隔壁と異なる方向に延びる縦隔壁を備える。
【００１３】
前記第１延長部の少なくとも一部が前記横隔壁上に配される。
【００１４】
本発明の他の側面は、互いに離隔して配される第１基板及び第２基板と、前記第１基板と前記第２基板との間あり、前記第１基板及び前記第２基板に沿うように一方向に延びるＸ電極及びＹ電極と、前記第１基板と前記第２基板との間にあり、前記第１基板及び前記第２基板に沿うように前記Ｘ電極及びＹ電極が延びる方向と異なる方向に延びるアドレス電極と、前記第１基板と第２基板との間に複数の放電セルを形成するために、前記第２基板の前記第１基板と対向する面に設けられる隔壁と、前記Ｘ電極及びＹ電極を覆うように前記第１基板上に配される第１誘電体層と、前記アドレス電極を覆うように前記第２基板上に配される第２誘電体層と、を備え、前記Ｘ電極及びＹ電極が透明電極とバス電極とを備え、前記透明電極は、それぞれ前記Ｘ電極及びＹ電極が延びる方向に延びる第１延長部及び第２延長部と、前記第１延長部と前記第２延長部との間を連結する連結部とを備え、前記連結部の少なくとも一部分が前記隔壁上に配されるＰＤＰを提供する。
【発明の効果】
【００１５】
本発明によるＰＤＰによれば、電極の不良率を低下させ、消費電力を低減して効率を向上させることができる。
【発明を実施するための最良の形態】
【００１６】
以下、添付した図面を参照して本発明に関する実施形態を中心に本発明を詳細に説明する。
【００１７】
図１には、本発明による好ましい一実施形態として、ＰＤＰ１００の部分切開した分離斜視図が示されている。図２には、図１のＰＤＰ１００についてII−II線の断面図が示されている。図３には、図１のＰＤＰ１００についての隔壁１３０と電極１８０、１９０との配置が示されている。
【００１８】
図面を参照すれば、本発明の好ましい一実施形態による交流型ＰＤＰ１００が示される。本発明によるＰＤＰ１００は、第１基板、第２基板、維持電極対１８０，１９０、アドレス電極１２２、隔壁１３０、保護膜１１６、蛍光体層１２３、第１誘電体層、第２誘電体層、及び放電ガス（図示せず）を備える。
【００１９】
前記第１基板は、前面基板１１１になり、前記第２基板は、背面基板１２１になりうる。維持電極対１８０，１９０は、相互維持放電を起こすＸ電極１８０とＹ電極１９０とを備えることができる。前記アドレス電極１２２は、維持放電を起こす放電セルを選択するために、データパルスが印加されるアドレス電極になりうる。前記第１誘電体層は、前面誘電体層１１５になり、前記第２誘電体層は、背面誘電体層１２５になりうる。
【００２０】
前面基板１１１と背面基板１２１とは、互いに所定の間隔で離隔して相互対向して配され、それらの間に放電が発生する放電空間を規定する。かかる前面基板１１１及び背面基板１２１は、可視光透過率に優れたガラスなどを利用して形成されることが望ましい。しかし、明室コントラストの向上のために、前面基板１１１及び／または背面基板１２１が着色されることもある。
【００２１】
前面基板１１１と背面基板１２１との間には隔壁１３０が配されるが、工程によって隔壁１３０は、背面誘電体層１２５上に配されてもよい。したがって、隔壁１３０は、前面誘電体層１１５と背面誘電体層１２５との間に配されうる。前面誘電体層１１５上に保護膜１１６が配される場合に、隔壁１３０は、保護膜１１６と背面誘電体層１２５との間に配されうる。
【００２２】
かかる隔壁１３０は、放電空間を複数の放電セル１７０に区画し、放電セル１７０間の光学的／電気的クロストークを防止する機能を有する。
【００２３】
図１には、隔壁１３０が方形の横断面を持つマトリックス配列の放電セルを区画することが示されている。しかしながら、これに限定されるものではない。すなわち、隔壁１３０は、放電セル１７０が三角形、五角形などの多角形、または円形、楕円形などの横断面を持つように形成されてもよく、ストライプなどの開放型に形成されてもよい。また、隔壁１３０は、放電セル１７０をワッフルやデルタ配列に区画してもよい。
【００２４】
この時、隔壁１３０は、縦隔壁１３０ａと横隔壁１３０ｂとを備えることができる。すなわち、図面上でｙ方向は縦方向になり、縦方向に延びる隔壁は縦隔壁１３０ａになる。また、図面上でｘ方向は横方向になり、横方向に延びる隔壁１３０は横隔壁１３０ｂになる。したがって、この場合、それぞれの放電セルは、ｘ方向に隣接する一対の縦隔壁１３０ａとｙ方向に隣接する一対の横隔壁１３０ｂとにより区画されうる。
【００２５】
また、縦隔壁が延びるｙ方向に隣接する放電セルの間には２個の横隔壁１３０ｂが配され、ＰＤＰが二重隔壁構造で形成されうる。
【００２６】
背面基板１２１に対向する前面基板１１１上には維持電極対１８０，１９０が配される。それぞれの維持電極対１８０，１９０は、維持放電を起こすために前面基板１１１の背面に形成された一対の維持電極であり、前面基板１１１上には、かかる維持電極対１８０、１９０が所定の間隔で平行に配列されうる。
【００２７】
維持電極対１８０，１９０のうち一つの維持電極はＸ電極１８０であり、共通電極として作用し、他の維持電極はＹ電極１９０であり、走査電極として作用する。本実施形態では、維持電極対１８０，１９０が前面基板１１１上に配されるが、維持電極対１８０，１９０の配置位置はこれに限定されない。
【００２８】
また、本実施形態は三電極構造について示しているが、本発明は、維持電極対１８０、１９０それぞれが一つの電極となる二電極構造にも適用されうる。実施形態によって、Ｘ電極１８０またはＹ電極１９０のうちいずれか一つの電極のみ隔壁１３０と前面基板１１１との間に配されうる。
【００２９】
Ｘ電極１８０及びＹ電極１９０のそれぞれは、透明電極１８０ａ，１９０ａ及びバス電極１８０ｂ，１９０ｂを備えている。透明電極１８０ａ，１９０ａは、放電を起こしうる導電体であり、かつ蛍光体１２３から放出される光が前面基板１１１に進入することを妨げない透明な材料で形成される。かかる材料としては、たとえばＩＴＯなどがある。
【００３０】
しかし、前記ＩＴＯのような透明な導電体は一般的にその抵抗が大きいため、透明電極のみで維持電極を形成すれば、その長手方向への電圧降下が大きくなり、駆動電力が多く消費され、応答速度が遅くなるおそれがある。これを改善するために、前記透明電極１８０ａ、１９０ａと電気的に接続されるように、金属材質で形成されるバス電極１８０ｂ，１９０ｂが配されうる。
【００３１】
Ｘ電極１８０及びＹ電極１９０の形状及び配置を詳細に説明すれば、バス電極１８０ｂ，１９０ｂは、単位放電セル１７０から所定の間隔で離隔して平行に配され、放電セル１７０を横切って延長される。かかる透明電極１８０ａ，１９０ａの一側はバス電極１８０ｂ，１９０ｂに連結され、他側は放電セル１７０の中心方向に向かうように配される。
【００３２】
また、図面に示されるように、Ｘ電極１８０及びＹ電極１９０は、隣接する放電セルでＸ電極１８０−Ｙ電極１９０−Ｘ電極１８０−Ｙ電極１９０の順序で配列されうる。すなわち、Ｘ電極１８０及びＹ電極１９０は、それぞれの放電セルでＸ電極１８０−Ｙ電極１９０の順序で配列され、あらゆる放電セルで同じ順序で配列されうる。
【００３３】
それぞれの表示ラインは、一つのＸ電極１８０とＹ電極１９０とを備えて形成されるそれぞれの維持電極対によって定義されうる。一方、隣接する表示ラインでＸ電極１８０が隣接して配されうる。この場合に、隣接するＸ電極１８０のバス電極１８０ｂを共有し、各表示ラインに該当する透明電極１８０ａが各表示ラインに該当する放電セル方向に延びるように配されうる。
【００３４】
前面基板１１１上には、維持電極対１８０，１９０を埋め込むように前面誘電体層１１５が形成されている。前面誘電体層１１５は、隣接したＸ電極１８０とＹ電極１９０とが互いに通電されることを防止し、荷電粒子または電子がＸ電極１８０とＹ電極１９０とに直接衝突してＸ電極１８０とＹ電極１９０とを損傷させることを防止する。また、前面誘電体層１１５は、電荷を誘導する機能を有する。かかる前面誘電体層１１５は、たとえばＰｂＯ、Ｂ２Ｏ３、ＳｉＯ２などを利用して形成される。
【００３５】
また、ＰＤＰ１００は、前面誘電体層１１５を覆う保護膜１１６をさらに備えることができる。保護膜１１６は、放電時に荷電粒子と電子とが前面誘電体層１１５に衝突して前面誘電体層１１５が損傷することを防止する。
【００３６】
保護膜１１６は、誘電体層１１５の放電セルに向かう面を覆うように配されうる。図１に示した実施形態のように、保護膜１１６は前面誘電体層１１５上に配され、前面誘電体層１１５は、第１基板１１１上に配されたＸ電極１８０とＹ電極１９０とを覆うように配される。しかし、本発明はこれに限定されるものではなく、保護膜１１６が背面誘電体層１２５または隔壁１３０上に配されうる。
【００３７】
また、保護膜１１６は、放電時に２次電子を多量に放出してプラズマ放電を円滑にする。かかる機能を有する保護膜１１６は、２次電子放出係数が高く、可視光透過率の高い物質を利用して形成される。保護膜１１６は、前面誘電体層１１５が形成された後、主にスパッタリング、電子ビーム蒸着法により薄膜として形成されうる。
【００３８】
前面基板１１１に対向する背面基板１２１上には、アドレス電極１２２が配されている。アドレス電極１２２は、Ｘ電極１８０及びＹ電極１９０と交差するように放電セル１７０を横切って延長される。
【００３９】
アドレス電極１２２は、維持放電を起こす放電セルにおいてＸ電極１８０とＹ電極１９０との間の維持放電をさらに容易にするためにアドレス放電を起こすものであり、さらに具体的には、維持放電を起こすための電圧を低める役割を有する。
【００４０】
アドレス放電は、Ｙ電極１９０とアドレス電極１２２との間に起こる放電であり、アドレス放電が終了すれば、Ｙ電極１９０側とＸ電極１８０側とに壁電荷が蓄積され、これにより、Ｘ電極１８０とＹ電極１９０との間の維持放電がさらに容易になる。
【００４１】
このように配された一対のＸ電極１８０及びＹ電極１９０と、これと交差するアドレス電極１２２とによって形成される空間が単位放電セル１７０を形成する。
【００４２】
背面基板１２１上には、アドレス電極１２２を埋め込むように背面誘電体層１２５が形成されている。背面誘電体層１２５は、放電時に荷電粒子または電子がアドレス電極１２２に衝突してアドレス電極１２２を損傷させることを防止し、かつ電荷を誘導できる誘電体として形成される。かかる誘電体としては、たとえば、ＰｂＯ、Ｂ２Ｏ３、ＳｉＯ２などがある。
【００４３】
背面誘電体層１２５上に形成された隔壁１３０の両側面と、隔壁１３０が形成されていない背面誘電体層１２５の前面とには、赤色、緑色、青色発光蛍光体層１２３が配されている。前記蛍光体層は、紫外線を受けて可視光線を発生させる成分を持つが、赤色発光放電セルに形成された蛍光体層はＹ（Ｖ，Ｐ）Ｏ４：Ｅｕのような蛍光体を含み、緑色発光放電セルに形成された蛍光体層はＺｎ２ＳｉＯ４：Ｍｎ、ＹＢＯ３：Ｔｂのような蛍光体を含み、青色発光放電セルに形成された蛍光体層はＢＡＭ：Ｅｕのような蛍光体を含む。
【００４４】
また、前記放電セル１７０には、ネオン（Ｎｅ）、キセノン（Ｘｅ）、ヘリウム（Ｈｅ）などが混合された放電ガスが充填されうる。前記のように放電ガスが充填された状態で、前面基板１１１及び背面基板１２１のエッジに形成されたフリットガラスのような密封部材により、前面基板１１１及び背面基板１２１が互いに結合される。
【００４５】
維持放電時に励起された放電ガスのエネルギー準位が低くなるとともに紫外線が放出される。そして、この紫外線が放電セル１７０内に塗布された蛍光体を励起させるが、この励起された蛍光体１２３のエネルギー準位が低くなるとともに可視光が放出され、この可視光が前面誘電体層１１５と前面基板１１１とを透過して射出され、ユーザーが認識できる画像が形成される。
【００４６】
本発明でのＸ電極１８０及び／またはＹ電極１９０は、図１に示すような梯子形に配されうる。特に、透明電極１８０ａ，１９０ａが梯子形になりうる。この時、透明電極１８０ａ，１９０ａは、第１延長部１８１，１９１、第２延長部１８２，１９２、及び連結部１８３，１９３を備えることができる。この時、連結部１８３，１９３の少なくとも一部分が、望ましくは連結部１８３，１９３全体を隔壁１３０上に配される。
【００４７】
バス電極１８０ｂ，１９０ｂは横隔壁に沿って延び、連結部と電気的に結合されるように、第１延長部１８１，１９１の一面、望ましくは放電空間に向かう面に配される。
【００４８】
一方、従来のＰＤＰと同様に、高精細及び高解像度を具現するためには、同サイズのパネルに対して放電セルの数を増加させ、放電セルのサイズを小さくすることができる。この時、それぞれの放電セル内の放電空間に存在する透明電極の形状が小さくなりうる。
【００４９】
一方、ＩＴＯ透明電極は、ＰＥフィルム−樹脂層−フィルム層で積層されて形成されるＩＴＯフィルムで形成できる。ＩＴＯフィルムから保護フィルムを除去して樹脂層とＩＴＯ層とが圧着される時、ＰＥフィルムと樹脂層とを結合する時に形成される接着性突起層とＩＴＯのパターン部との接触性について問題が発生しうる。この時、高精細及び高解像度パネルのようにセルのサイズが小さく、透明電極が小さい構造では、接着性についてさらに大きな問題が発生し、これによってＩＴＯバイト性不良が発生しうる。
【００５０】
この時、経験的にみれば、Ｔタイプで発生するＩＴＯバイト性不良を１００％とすれば、セグメントタイプではＩＴＯバイト性不良が４１％、梯子形タイプでは３３％ほどであることが分かる。
【００５１】
したがって、本発明ではＩＴＯなどによって透明に形成できる透明電極を梯子形に形成することによって、小さくなったＩＴＯ形状に対してもＩＴＯ不良を低減させることができる。また、透明電極１８０ａ，１９０ａの連結部１８３，１９３を縦隔壁１３０ａ上に配することによって、消費電力を減少させて効率を向上させることができる。
【００５２】
第１延長部１８１，１９１及び第２延長部１８２，１９２は、横隔壁１３０ｂが延びる方向に実質的に平行に延びうる。連結部１８３，１９３は、横隔壁１３０ｂと直交する縦隔壁１３０ａが延びる方向に延びうる。この時、連結部１８３，１９３は、縦隔壁１３０ａ上の第１基板１１１の間に前面誘電体層１１５によって埋め込まれるように配されうる。
【００５３】
電極によって放電空間を遮蔽する部分を縮小するように、第１延長部１８１，１９１とバス電極１８０ｂ，１９０ｂとの少なくとも一部が横隔壁１３０ｂ上に配されることが望ましい。このために、横隔壁１３０ｂは二重隔壁構造を持つことが望ましい。すなわち、縦隔壁１３０ａが延びる方向に隣接する放電セルの間に隔壁１３０ｂが２つ配されうる。
【００５４】
したがって、本発明による透明電極１８０ａ，１９０ａを梯子形とし、連結部１８３，１９３を縦隔壁１３０ａ上に配置することによって、ＩＴＯ不良を減らし、かつ消費電力を減少させて効率を向上させることができる。
【００５５】
本発明は図面に示された実施形態を参考までに説明したが、これは例示的なものに過ぎず、当業者ならば、これより多様な変形及び均等な他の実施形態が可能であるという点を理解できるであろう。したがって、本発明の真の技術的保護範囲は、特許請求範囲の技術的思想によって定められねばならない。
【産業上の利用可能性】
【００５６】
本発明は、ＰＤＰ関連の技術分野に好適に用いられる。
【図面の簡単な説明】
【００５７】
【図１】本発明による望ましい一実施形態であり、ＰＤＰを概略的に示した部分切開分離斜視図である。
【図２】図１のＰＤＰであり、II−II線の断面図である。
【図３】図１のＰＤＰであり、隔壁と電極との配置を概略的に示す図である。
【符号の説明】
【００５８】
１１１  前面基板、
１１５  前面誘電体層、
１１６  保護膜、
１２１  背面基板、
１２２  アドレス電極、
１２３  蛍光体層、
１２５  背面誘電体層、
１３０  隔壁、
１３０ａ  縦隔壁、
１３０ｂ  横隔壁、
１７０  放電セル、
１８０  Ｘ電極、
１８１，１９１  第１延長部、
１８２，１９２  第２延長部、
１８３，１９３  連結部、
１９０  Ｙ電極、
１８０ａ，１９０ａ  透明電極、
１８０ｂ，１９０ｂ  バス電極。
【図１】
2009070820.tif 000003
【図２】
2009070820.tif 000004
【図３】
2009070820.tif 000005